(57)【要約】      （修正有）【課題】締結箇所が緩むことのない無塵室の密閉壁を提供する。【解決手段】無塵室の密閉壁は、T型締結片７、尖型ネジ９、及び、菱形締結片６からなり、T型締結片のT型ヘッドが、対向柱１，１‘の内側U型スロット内に係入される時、T型締結片体は、中フレーム３の凹溝内に挿入され、尖型ネジ９が、T型締結片の孔洞内に挿入され、尖型ネジが、孔洞内にねじ込まれる時、該ネジの尖頭が締結片の円錐状締結孔に進入し、その斜面に沿って進行することによりT型締結片のT型ヘッドは、対向柱を中フレームの方向に引き寄せて締結する。上フレームと対向柱とＩ型梁においても菱形締結片、及び、菱形ネジにより同様に組み合わされ、対向柱、中フレーム、上フレーム、下フレームが緊密に締結されることにより、無塵室壁面、窓は密閉され、汚れた空気が無塵室に進入するのを防止する。【選択図】図１
0003114646.tif 000002
【実用新案登録請求の範囲】
【請求項１】
上フレーム、対向柱、中フレーム、下フレーム、T型締結片、菱形締結片、尖型ネジ、からなる無塵室の密閉壁であって、
前記T字型締結片は、一体成型により形成された、T型ヘッド、T型締結片体、及び締結孔からなり、該締結孔は、傾斜面を備えた円錐形状で、中央は円形孔をなし、
前記菱形締結片は、一体成型により形成された、菱形ヘッド、菱形締結片体、及び、締結孔からなり、前記締結孔は、傾斜面を備えた円錐形状で、中央は円形孔をなし、
前記尖型ネジはネジを有すると共に尖端ヘッドを設けてなり、
T字型締結片の前記T型ヘッドを前記対向柱の内側U型スロット内に挿入し、他方のT型締結片体を中フレームの中空凹溝内に挿入し
前記尖型ネジを、前記中フレームからT型締結片に挿通して締結するとき、前記尖型ネジの尖型ヘッドが、これらの締結孔の円錐斜面に沿って進入することにより、前記T型締結片のT型ヘッドが前記対向柱を前記中フレームの方向に引っ張り、
また、同様にして菱形締結片の前記菱形ヘッドを上フレームの締結凹溝内に係入すると共に、菱形締結片の締結片体を対向柱の中空凹溝に挿入し、前記尖型ネジを、対向柱から前記菱形締結片に挿通して締結するとき、前記尖型ネジの尖型ヘッドが、これらの締結孔の円錐斜面に沿って進入することにより、前記菱形締結片の菱形ヘッドが、前記上フレームを対向柱に引っ張ることにより、
それぞれこれらの窓枠を構成する構造が相互に緊密に締結されることを特徴とする無塵室の密閉壁。
【請求項２】
前記上フレームは上記締結凹溝により断面U型をなすと共に、該締結凹溝から上方に締結孔を設けて、該締結孔にネジを挿通し、Ｉ型梁の凹溝に嵌合した菱形ナットを締結することにより、上フレーム上にＩ型梁を固定したことを特徴とする請求項１に記載の無塵室の密閉壁。
【請求項３】
前記下フレームは、嵌合板、承接板、及び挿棒からなり、嵌合板と対向柱とを前記T字型締結片と尖頭ネジの締結構造により、締結してなることを特徴とする請求項１に記載の無塵室の密閉壁。
【考案の詳細な説明】
【技術分野】
【０００１】
本考案は、無塵室（クリーンルーム）の密閉壁に関するものであって、特に、窓枠のような開口部において、T型締結片、尖型ネジ、及び、菱形締結片の結合により、双向立中、中フレーム、上フレーム、及び、下フレームが、緊密に締結され、空調気流を引導し、汚れた空気が無塵室に進入するのを防止する効果を得る無塵室の密閉壁に関するものである。
【背景技術】
【０００２】
一般の窓枠は、上フレーム、下フレーム、中フレーム、左右フレームからなり、上フレームと左右フレームの結合と、中フレームと左右フレームの結合と、下フレームと左右フレームの結合は、主に、ネジにより外から内へと締結するものである。しかし、締結箇所は、往々にして、ギャップを生じて、緩むなどの欠点がある。
【特許文献１】特許第３４７９６５０号公報
【考案の開示】
【考案が解決しようとする課題】
【０００３】
本考案は、無塵室の密閉壁を提供することを目的とする。
【課題を解決するための手段】
【０００４】
本考案の無塵室の密閉壁は、主に、T型締結片、及び、尖型ネジと中フレーム、及び、下フレームの結合、菱形締結片、菱形ナット、及び、ネジと上フレーム、及び、Ｉ型梁の結合を利用し、菱形締結片の上フレームの組み合わせにより、任意の方向に変更できる組み合わせを達成し、窓枠全体を緊密に締結し、T型締結片、或いは、菱形締結片の締結片体は締結孔を設け、尖型ネジが締結孔に旋入する時、尖端ヘッドが、斜面に沿って旋入し、T型締結片、或いは、菱形締結片前端のT型ヘッド、或いは、菱形ヘッドは内縮作用を生じて、対向柱、或いは、上フレームが内に引っ張られ、対向柱、中フレーム、下フレーム、及び、上フレームの結合が緊密になる。
【考案の効果】
【０００５】
本考案により、公知の欠点が改善され、T型締結片、尖型ネジ、及び、菱形締結片の結合により、双向立中、中フレーム、上フレーム、及び、下フレームが、緊密に締結され、汚れた空気が無塵室に進入するのを防止して空調気流を導くことができる。
【考案を実施するための最良の形態】
【０００６】
本考案は、無塵室の密閉壁であって、図１で示されるように、上フレーム２、一対の対向柱１、１'、中フレーム３、下フレーム４、T型締結片７、及び、菱形締結片６からなる。上フレーム２はU字型で、その中央長手方向に締結凹溝２２を有し、対向柱１、１'は断面I字型で、U字型スロット１２、１２'を設け、中央には凹溝１１を設けている。下フレーム４は、嵌合板４１、承接板４２、及び、挿棒４３からなり、尖頭ネジ４４は下フレーム４を対向柱１、１'に締結する。
中央フレーム３断面中央には、長さ方向に沿って中空凹溝３１を設け、T字型締結片７を挿入する。締結構造は、T字型締結片７、菱形締結片６、尖型ネジ９、及び、菱型ナット６からなり、T字型締結片７は、T型ヘッド７１、T型締結片体７２、及び締結孔７３からなり、菱形締結片６は、菱形ヘッド６１、菱形締結片体６２、及び締結孔６３からなり（図３）、尖型ネジ９は尖型ヘッドを有する。
【０００７】
図１〜図３で示されるように、上フレーム２上端面の締結孔２１下方に締結凹溝２２を設けて（図３）なり、まず、Ｉ型梁５の凹溝５１内に、菱形ナット６'を挿入し、ネジ８を上フレーム２の締結孔２１を挿通して、菱形ナット６'によりＩ型梁を上フレームに締結する。
次に、上フレーム２下方の締結凹溝２２に、菱形ナット６の菱形ヘッド６１を挿入し、調整方向に従って、菱形ナット６の菱形締結片体６２を、対向柱１、１'の凹溝１１内に挿入し、尖型ネジ９をその側辺の締結孔６３に挿通して締結することにより、上フレームと対向柱とを組み立てる。
【０００８】
図４〜図８で示されるように、締結構造は、T型締結片７、及び、尖型ネジ９からなり、T型締結片７は一体成型により前端部のT型ヘッド７１、締結片体７２、及び円錐状で、傾斜断面を有する締結孔７３からなる。
まず、T型締結片７のT型ヘッド７１を対向柱１、１'の内側U型スロット１２内に係入し、T型締結片７の締結片体７２は、中フレーム３の凹溝３１内に挿入する。
【０００９】
図６、及び、図７を参照すると、中フレーム３と対向柱１、１'は、結合前には間隔Lを有し、中フレーム３と対向柱１、１'間は、一定距離間隙がある。これに対して、拡大部A−A'を参照するように、T型締結片７の締結孔７３は円錐形状で、斜面７２中央に締結孔７３があり、尖型ネジ９を中フレームにねじ込むと、尖型ネジの尖端ヘッド９１はT型締結片の斜面７２'に沿って進入し、図７で示されるように尖型ネジ９の尖端ヘッド９１は、締結孔７３に挿通して、T型締結片７は対向柱１、１'を中フレーム３方向に引っ張り寄せることにより、対向柱１、１'と中フレーム３は緊密な結合を達成し、効果的に締結される。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１１】
【図１】本考案の無塵室の密閉壁の立体分解図である。
【図２】本考案の部分組み合わせ図である。
【図３】本考案の部分組み合わせ立体図である。
【図４】本考案の中フレームと対向柱の組み合わせ立体図である。
【図５】本考案の中フレームと対向柱の組み合わせ断面図である。
【図６】本考案の締結構造の断面図である。
【図７】本考案の締結前の断面図である。
【図８】本考案の中フレームの断面図である。
【符号の説明】
【００１２】
１、１'… 対向柱
１１…中空凹溝
１２、１２'…U型スロット
２…上フレーム
２１…締結孔
２２…締結凹溝
３…中フレーム
３１…中空凹溝
４…下フレーム
４１…嵌合板
４２…承接板
５…Ｉ型梁
６…菱形締結片
６'…菱形ナット
６１…菱形ヘッド
６２…菱形締結片体
６３…締結孔
７…T型締結片
７１…T型ヘッド
７２…T型締結片体
７３…締結孔
８…ネジ
９…尖型ネジ
A−A'…拡大図
L…距離
【図１】
0003114646.tif 000003
【図２】
0003114646.tif 000004
【図３】
0003114646.tif 000005
【図４】
0003114646.tif 000006
【図５】
0003114646.tif 000007
【図６】
0003114646.tif 000008
【図７】
0003114646.tif 000009
【図８】
0003114646.tif 000010